(57)【要約】【課題】契約初期のユーザに関するデフォルトのコンテンツ配信予定を、ユーザの意志や属性など所定の状況に応じて自動作成可能とする。【解決手段】所望ジャンルの指示を受付ける画面データを記憶装置１３０より読み出して携帯端末２００に送信し所望ジャンルの指示データを取得する契約時データ取得部１１０と、所望ジャンルに対応付けされたコンテンツの情報をジャンル情報データベース１２５にて特定する対応コンテンツ特定部１１１と、所望ジャンルに該当するコンテンツで所定数以上の配信設定実績があるものをデフォルト番組候補として所定数特定する候補特定部１１２と、デフォルト番組候補を所定時間間隔で配置してデフォルト番組表を生成するデフォルト番組表生成部１１３と、から番組表自動生成システム１００を構成する。【選択図】図１
2008177781.tif 000002
【特許請求の範囲】
【請求項１】
コンテンツ配信サービスの契約に際し、契約ユーザの携帯端末へのコンテンツ配信予定を自動作成するシステムであって、
前記コンテンツ配信サービスを既に契約済みである既存契約ユーザについて配信設定されているコンテンツの情報を、コンテンツジャンル毎に格納するジャンル情報データベースと、
前記契約に際し、前記契約ユーザからの所望ジャンルの指示を受付ける画面データを記憶装置より読み出して、前記契約ユーザの携帯端末に送信し、この携帯端末から返信される所望ジャンルの指示データを取得しメモリに格納する、契約時データ取得部と、
前記メモリより前記契約ユーザの所望ジャンルの指示データを読み出し、この指示データが示す所望ジャンルに対応付けされたコンテンツの情報を、前記ジャンル情報データベースにて特定する、対応コンテンツ特定部と、
前記特定したコンテンツの情報に基づき、前記所望ジャンルに該当するコンテンツで所定数以上の配信設定実績があるものをデフォルト番組候補として所定数特定し、ここで特定したデフォルト番組候補をメモリに格納する、候補特定部と、
コンテンツ配信サービスの契約時におけるデフォルトのコンテンツ配信予定として、メモリより読み出した前記デフォルト番組候補を所定時間間隔で配置してデフォルト番組表を生成し、これを前記契約ユーザのためのコンテンツ配信予定として記憶装置に格納する、デフォルト番組表生成部と、
を備える番組表自動生成システム。
【請求項２】
前記契約時データ取得部が、前記契約に際し、前記契約ユーザの携帯端末とデータ通信した時刻のデータを、自身の備える時計機能から、または前記データ通信時のパケットが含む時刻データから取得し、登録時刻データとしてメモリに格納するものであり、
前記デフォルト番組表生成部が、前記デフォルト番組候補を所定時間間隔で配置してデフォルト番組表を生成するに際し、前記デフォルト番組候補のうち少なくとも１番組については、前記メモリより読み出した登録時刻データの示す日時属性に配信する配信設定を行って、前記デフォルト番組表を生成する、
ことを特徴とする請求項１に記載の番組表自動生成システム。
【請求項３】
前記対応コンテンツ特定部が、前記メモリより前記契約ユーザの登録時刻データを読み出し、この登録時刻データが示す日時属性に配信予定のコンテンツの情報を、前記ジャンル情報データベースにて特定するものであり、
前記候補特定部が、前記特定したコンテンツの情報に基づき、前記登録時刻データが示す日時属性に配信予定のコンテンツで所定数以上の配信設定実績があるものをデフォルト番組候補として所定数特定し、ここで特定したデフォルト番組候補をメモリに格納するものである、
ことを特徴とする請求項１または２に記載の番組表自動生成システム。
【請求項４】
前記候補特定部は、
前記デフォルト番組候補を特定するに際し、前記所望ジャンルに該当し、なおかつ、前記登録時刻データが示す日時属性に配信予定のコンテンツのうち、所定数以上の配信設定実績があるものをデフォルト番組候補として所定数特定し、ここで特定したデフォルト番組候補をメモリに格納するものである、
ことを特徴とする請求項３に記載の番組表自動生成システム。
【請求項５】
前記契約時データ取得部は、前記契約に際し、前記契約ユーザからのユーザ属性入力を受付ける画面データを記憶装置より読み出して、前記契約ユーザの携帯端末に送信し、この携帯端末から返信されるユーザ属性データを取得しメモリに格納するものであり、
前記対応コンテンツ特定部は、前記メモリより前記契約ユーザのユーザ属性データを読み出し、このユーザ属性に対応付けされたコンテンツの情報を、前記ジャンル情報データベースにて特定するものであり、
前記候補特定部は、前記特定したコンテンツの情報に基づき、前記ユーザ属性に該当するコンテンツで所定数以上の配信設定実績があるものをデフォルト番組候補として所定数特定し、ここで特定したデフォルト番組候補をメモリに格納するものである、
ことを特徴とする請求項１〜４のいずれかに記載の番組表自動生成システム。
【請求項６】
前記候補特定部は、
前記デフォルト番組候補を特定するに際し、前記所望ジャンルと前記ユーザ属性とに該当し、なおかつ、前記登録時刻データが示す日時属性に配信予定のコンテンツのうち、所定数以上の配信設定実績があるものをデフォルト番組候補として所定数特定し、ここで特定したデフォルト番組候補をメモリに格納するものである、
ことを特徴とする請求項５に記載の番組表自動生成システム。
【請求項７】
コンテンツ配信サービスの契約に際し、契約ユーザの携帯端末へのコンテンツ配信予定を自動作成するコンピュータシステムが、
前記コンテンツ配信サービスを既に契約済みである既存契約ユーザについて配信設定されているコンテンツの情報を、コンテンツジャンル毎に格納するジャンル情報データベースを備えて、
前記契約に際し、前記契約ユーザからの所望ジャンルの指示を受付ける画面データを記憶装置より読み出して、前記契約ユーザの携帯端末に送信し、この携帯端末から返信される所望ジャンルの指示データを取得しメモリに格納する処理と、
前記メモリより前記契約ユーザの所望ジャンルの指示データを読み出し、この指示データが示す所望ジャンルに対応付けされたコンテンツの情報を、前記ジャンル情報データベースにて特定する処理と、
前記特定したコンテンツの情報に基づき、前記所望ジャンルに該当するコンテンツで所定数以上の配信設定実績があるものをデフォルト番組候補として所定数特定し、ここで特定したデフォルト番組候補をメモリに格納する処理と、
コンテンツ配信サービスの契約時におけるデフォルトのコンテンツ配信予定として、メモリより読み出した前記デフォルト番組候補を所定時間間隔で配置してデフォルト番組表を生成し、これを前記契約ユーザのためのコンテンツ配信予定として記憶装置に格納する処理と、
を実行する番組表自動生成方法。
【請求項８】
コンテンツ配信サービスの契約に際し、契約ユーザの携帯端末へのコンテンツ配信予定を自動作成するコンピュータシステムに、
前記コンテンツ配信サービスを既に契約済みである既存契約ユーザについて配信設定されているコンテンツの情報を、コンテンツジャンル毎に格納するジャンル情報データベースを利用して、
前記契約に際し、前記契約ユーザからの所望ジャンルの指示を受付ける画面データを記憶装置より読み出して、前記契約ユーザの携帯端末に送信し、この携帯端末から返信される所望ジャンルの指示データを取得しメモリに格納するステップと、
前記メモリより前記契約ユーザの所望ジャンルの指示データを読み出し、この指示データが示す所望ジャンルに対応付けされたコンテンツの情報を、前記ジャンル情報データベースにて特定するステップと、
前記特定したコンテンツの情報に基づき、前記所望ジャンルに該当するコンテンツで所定数以上の配信設定実績があるものをデフォルト番組候補として所定数特定し、ここで特定したデフォルト番組候補をメモリに格納するステップと、
コンテンツ配信サービスの契約時におけるデフォルトのコンテンツ配信予定として、メモリより読み出した前記デフォルト番組候補を所定時間間隔で配置してデフォルト番組表を生成し、これを前記契約ユーザのためのコンテンツ配信予定として記憶装置に格納するステップと、
を実行させる番組表自動生成プログラム。
【発明の詳細な説明】
【技術分野】
【０００１】
本発明は、番組表自動生成システム、番組表自動生成方法、および番組表自動生成プログラムに関し、具体的には、コンテンツ配信サービスの契約時における、契約ユーザの携帯端末へのコンテンツ配信当初予定（デフォルト番組表）を自動作成する技術に関する。
【背景技術】
【０００２】
例えば、即時性を必要とする情報を提供、又はユーザに対して、ユーザが指定するジャンル及び、地域の情報を速やかに流通することを支援し、低コストを可能にする情報配信システムの提供や販売戦略の立案に有効なマーケティング情報を提供することを目的とした、ネットワーク網を介してサーバに、地域・分野などあらかじめ定められたカテゴリ別に格納される新着情報の発生を、カテゴリ別における新着情報の発生の通知を希望するユーザに、ネットワークを介して通知する新着情報発生通知システムと、そのシステムを利用した情報通信システム（特許文献１参照）などが提案されている。
【特許文献１】特開２００２−２５１３５３号公報
【発明の開示】
【発明が解決しようとする課題】
【０００３】
コンテンツ配信サーバが携帯端末に対してコンテンツ配信を行う際に使用する、コンテンツの配信スケジュールを、ユーザ個別の番組表として設定する技術を発明者らは既に開発している。この番組表は、ユーザが自由に、配信コンテンツや配信時刻を設定可能なものである。しかし一方で、コンテンツ配信サービスの契約時のユーザに適用するデフォルトの番組表は、番組選定作業や配信時刻の設定作業等を省略可能で操作に不慣れなユーザ側の作業負荷を抑制できるとはいえ、ユーザの好みなど種々の状況に関係なく配信コンテンツや配信時刻が固定的であった。
【０００４】
そこで、本発明は上記課題を鑑みてなされたものであり、契約初期のユーザに関するデフォルトのコンテンツ配信予定を、ユーザの意志や属性など所定の状況に応じて自動作成可能とする技術の提供を主たる目的とする。
【課題を解決するための手段】
【０００５】
本発明の番組表自動生成システムは、コンテンツ配信サービスの契約に際し、契約ユーザの携帯端末へのコンテンツ配信予定を自動作成するシステムであって、前記コンテンツ配信サービスを既に契約済みである既存契約ユーザについて配信設定されているコンテンツの情報を、コンテンツジャンル毎に格納するジャンル情報データベースと、前記契約に際し、前記契約ユーザからの所望ジャンルの指示を受付ける画面データを記憶装置より読み出して、前記契約ユーザの携帯端末に送信し、この携帯端末から返信される所望ジャンルの指示データを取得しメモリに格納する、契約時データ取得部と、前記メモリより前記契約ユーザの所望ジャンルの指示データを読み出し、この指示データが示す所望ジャンルに対応付けされたコンテンツの情報を、前記ジャンル情報データベースにて特定する、対応コンテンツ特定部と、前記特定したコンテンツの情報に基づき、前記所望ジャンルに該当するコンテンツで所定数以上の配信設定実績があるものをデフォルト番組候補として所定数特定し、ここで特定したデフォルト番組候補をメモリに格納する、候補特定部と、コンテンツ配信サービスの契約時におけるデフォルトのコンテンツ配信予定として、メモリより読み出した前記デフォルト番組候補を所定時間間隔で配置してデフォルト番組表を生成し、これを前記契約ユーザのためのコンテンツ配信予定として記憶装置に格納する、デフォルト番組表生成部とを備える。これによれば、番組選定作業や配信時刻の設定作業等を省略可能で操作に不慣れなユーザ側の作業負荷を抑制できるデフォルト番組表を、ユーザの意志や属性など所定の状況に応じて効率的に自動作成可能となる。
【０００６】
また、前記番組表自動生成システムにおいて、前記契約時データ取得部が、前記契約に際し、前記契約ユーザの携帯端末とデータ通信した時刻のデータを、自身の備える時計機能から、または前記データ通信時のパケットが含む時刻データから取得し、登録時刻データとしてメモリに格納するものであり、前記デフォルト番組表生成部が、前記デフォルト番組候補を所定時間間隔で配置してデフォルト番組表を生成するに際し、前記デフォルト番組候補のうち少なくとも１番組については、前記メモリより読み出した登録時刻データの示す日時属性に配信する配信設定を行って、前記デフォルト番組表を生成する、としてもよい。これによれば、番組選定作業や配信時刻の設定作業等を省略可能で操作に不慣れなユーザ側の作業負荷を抑制できるデフォルト番組表を、サービス契約時間帯（ユーザ側で契約作業可能＝多少の時間的余裕がありコンテンツ閲覧しやすい日時属性）にコンテンツ配信を行う設定としたものとして自動作成することが可能となる。
【０００７】
また、前記番組表自動生成システムにおいて、前記対応コンテンツ特定部が、前記メモリより前記契約ユーザの登録時刻データを読み出し、この登録時刻データが示す日時属性に配信予定のコンテンツの情報を、前記ジャンル情報データベースにて特定するものであり、前記候補特定部が、前記特定したコンテンツの情報に基づき、前記登録時刻データが示す日時属性に配信予定のコンテンツで所定数以上の配信設定実績があるものをデフォルト番組候補として所定数特定し、ここで特定したデフォルト番組候補をメモリに格納するものである、としてもよい。これによれば、番組選定作業や配信時刻の設定作業等を省略可能で操作に不慣れなユーザ側の作業負荷を抑制できるデフォルト番組表を、サービス契約時間帯（ユーザ側で契約作業可能＝多少の時間的余裕がありコンテンツ閲覧しやすい日時属性）において人気のあるコンテンツを配信コンテンツとしたものとして自動作成することが可能となる。
【０００８】
また、前記番組表自動生成システムにおいて、前記候補特定部は、前記デフォルト番組候補を特定するに際し、前記所望ジャンルに該当し、なおかつ、前記登録時刻データが示す日時属性に配信予定のコンテンツのうち、所定数以上の配信設定実績があるものをデフォルト番組候補として所定数特定し、ここで特定したデフォルト番組候補をメモリに格納するものである、としてもよい。これによれば、ユーザ所望のジャンルであり、なおかつサービス契約時間帯（ユーザ側で契約作業可能＝多少の時間的余裕がありコンテンツ閲覧しやすい日時属性）に配信予定のコンテンツのうちから人気のあるコンテンツを、配信コンテンツとして設定したデフォルト番組表を自動作成することが可能となる。
【０００９】
また、前記番組表自動生成システムにおいて、前記契約時データ取得部は、前記契約に際し、前記契約ユーザからのユーザ属性入力を受付ける画面データを記憶装置より読み出して、前記契約ユーザの携帯端末に送信し、この携帯端末から返信されるユーザ属性データを取得しメモリに格納するものであり、前記対応コンテンツ特定部は、前記メモリより前記契約ユーザのユーザ属性データを読み出し、このユーザ属性に対応付けされたコンテンツの情報を、前記ジャンル情報データベースにて特定するものであり、前記候補特定部は、前記特定したコンテンツの情報に基づき、前記ユーザ属性に該当するコンテンツで所定数以上の配信設定実績があるものをデフォルト番組候補として所定数特定し、ここで特定したデフォルト番組候補をメモリに格納するものである、としてもよい。これによれば、同じユーザ属性を持つ既存契約ユーザが番組表で設定しているコンテンツのうち、人気のあるものを配信コンテンツとして設定した番組表を自動作成することが可能となる。
【００１０】
また、前記番組表自動生成システムにおいて、前記候補特定部は、前記デフォルト番組候補を特定するに際し、前記所望ジャンルと前記ユーザ属性とに該当し、なおかつ、前記登録時刻データが示す日時属性に配信予定のコンテンツのうち、所定数以上の配信設定実績があるものをデフォルト番組候補として所定数特定し、ここで特定したデフォルト番組候補をメモリに格納するものである、としてもよい。これによれば、ユーザ所望のジャンルで、ユーザ属性にマッチングし、なおかつサービス契約時間帯（ユーザ側で契約作業可能＝多少の時間的余裕がありコンテンツ閲覧しやすい日時属性）に配信予定のコンテンツのうちから人気のあるコンテンツを、配信コンテンツとして設定したデフォルト番組表を自動作成することが可能となる。
【００１１】
また、本発明の番組表自動生成方法は、コンテンツ配信サービスの契約に際し、契約ユーザの携帯端末へのコンテンツ配信予定を自動作成するコンピュータシステムが、前記コンテンツ配信サービスを既に契約済みである既存契約ユーザについて配信設定されているコンテンツの情報を、コンテンツジャンル毎に格納するジャンル情報データベースを備えて、前記契約に際し、前記契約ユーザからの所望ジャンルの指示を受付ける画面データを記憶装置より読み出して、前記契約ユーザの携帯端末に送信し、この携帯端末から返信される所望ジャンルの指示データを取得しメモリに格納する処理と、前記メモリより前記契約ユーザの所望ジャンルの指示データを読み出し、この指示データが示す所望ジャンルに対応付けされたコンテンツの情報を、前記ジャンル情報データベースにて特定する処理と、前記特定したコンテンツの情報に基づき、前記所望ジャンルに該当するコンテンツで所定数以上の配信設定実績があるものをデフォルト番組候補として所定数特定し、ここで特定したデフォルト番組候補をメモリに格納する処理と、コンテンツ配信サービスの契約時におけるデフォルトのコンテンツ配信予定として、メモリより読み出した前記デフォルト番組候補を所定時間間隔で配置してデフォルト番組表を生成し、これを前記契約ユーザのためのコンテンツ配信予定として記憶装置に格納する処理と、を実行する。これによれば、番組選定作業や配信時刻の設定作業等を省略可能で操作に不慣れなユーザ側の作業負荷を抑制できるデフォルト番組表を、ユーザの意志や属性など所定の状況に応じて効率的に自動作成可能となる。
【００１２】
また、本発明の番組表自動生成プログラムは、コンテンツ配信サービスの契約に際し、契約ユーザの携帯端末へのコンテンツ配信予定を自動作成するコンピュータシステムに、前記コンテンツ配信サービスを既に契約済みである既存契約ユーザについて配信設定されているコンテンツの情報を、コンテンツジャンル毎に格納するジャンル情報データベースを利用して、前記契約に際し、前記契約ユーザからの所望ジャンルの指示を受付ける画面データを記憶装置より読み出して、前記契約ユーザの携帯端末に送信し、この携帯端末から返信される所望ジャンルの指示データを取得しメモリに格納するステップと、前記メモリより前記契約ユーザの所望ジャンルの指示データを読み出し、この指示データが示す所望ジャンルに対応付けされたコンテンツの情報を、前記ジャンル情報データベースにて特定するステップと、前記特定したコンテンツの情報に基づき、前記所望ジャンルに該当するコンテンツで所定数以上の配信設定実績があるものをデフォルト番組候補として所定数特定し、ここで特定したデフォルト番組候補をメモリに格納するステップと、コンテンツ配信サービスの契約時におけるデフォルトのコンテンツ配信予定として、メモリより読み出した前記デフォルト番組候補を所定時間間隔で配置してデフォルト番組表を生成し、これを前記契約ユーザのためのコンテンツ配信予定として記憶装置に格納するステップと、を実行させるものである。これによれば、番組選定作業や配信時刻の設定作業等を省略可能で操作に不慣れなユーザ側の作業負荷を抑制できるデフォルト番組表を、ユーザの意志や属性など所定の状況に応じて効率的に自動作成可能となるプログラムの提供ができる。
【００１３】
その他、本願が開示する課題、及びその解決方法は、発明の実施の形態の欄、及び図面により明らかにされる。
【発明の効果】
【００１４】
本発明によれば、契約初期のユーザに関するデフォルトのコンテンツ配信予定を、ユーザの意志や属性など所定の状況に応じて自動作成可能となる。
【発明を実施するための最良の形態】
【００１５】
−−−システム構成−−−
以下に本発明の実施形態について図面を用いて詳細に説明する。図１は本実施形態における番組表自動生成システムを含むネットワーク構成図である。本実施形態における番組表自動生成システム１００（以下、システム１００）は、例えば、携帯端末にコンテンツ（電子データ）配信を行うコンテンツ配信サーバを想定でき、前記携帯端末２００としては携帯電話機を想定できる。システム１００が携帯端末２００に配信するコンテンツとしては、テキスト、画像、映像、音声、電子メールなど特にその種類を問わない。また、コンテンツ内容のジャンルとしても、ニュース、地図情報、映画、電子書籍、ソフトウェア、広告、各種検索結果など、その種類を問わない。
【００１６】
また、本実施形態における状況としては、前記システム１００が実行するコンテンツ配信サービスに加入しようとする携帯端末ユーザが、それまで当該サービス未経験であるから当然であるが、配信可能コンテンツとしてどのようなものがシステム１００側に用意されており、どのようなスケジュールでコンテンツ配信されることが適当なのか見当を付けておらず、従って、番組表（ユーザ毎の配信コンテンツと配信時刻が記述されたもの）をユーザ自身で詳細に設定することがまだ難しい状況を想定する。このような状況下において、本発明の番組表自動生成方法を適用し、前記システム１００がユーザ毎のデフォルト番組表を自動生成することで、番組選定作業や配信時刻の設定作業等を省略可能で操作に不慣れなユーザ側の作業負荷を抑制できる。しかもそのデフォルト番組表は、ユーザの意志や属性など所定の状況に応じて効率的に自動作成されたものとなるのである。なお、システム１００が自動作成したデフォルト番組表は、あくまでも契約初期に使用される「デフォルト」であるから、後に該当ユーザが携帯端末２００を通じてシステム１００に書換指示を行うことで任意に設定変更可能である。
【００１７】
前記システム１００は、本発明の番組表自動生成方法を実行する機能を実現すべく書き換え可能メモリなどのプログラムデータベース１０１に格納されたプログラム１０２をメモリ１０３に読み出し、演算装置たるＣＰＵ１０４により実行する。また、前記システム１００は、コンピュータ装置が一般に備えている各種キーボードやボタン類といった入力
インターフェイス１０５や、ディスプレイやスピーカなどの出力インターフェイス１０６、ならびに携帯端末２００との間のネットワーク１４０に応じたプロトコルにてのデータ通信を担う通信手段１０７などを有している。前記システム１００は、前記通信手段１０７により、前記携帯端末２００と例えばインターネットやＬＡＮ、携帯電話網などのネットワーク１４０を介して接続しデータ授受を実行する。
【００１８】
続いて、前記システム１００が例えばプログラム１０２に基づき構成・保持する機能部につき説明を行う。なお、前記システム１００は、前記ジャンル情報データベース１２５を利用可能であるとする。  
こうしたシステム１００は、前記契約に際し、前記契約ユーザからの所望ジャンルの指示を受付ける画面データを記憶装置１３０より読み出して、前記契約ユーザの携帯端末２００に送信し、この携帯端末２００から返信される所望ジャンルの指示データを取得しメモリ１０３に格納する、契約時データ取得部１１０を備える。
【００１９】
また、前記システム１００は、前記メモリ１０３より前記契約ユーザの所望ジャンルの指示データを読み出し、この指示データが示す所望ジャンルに対応付けされたコンテンツの情報を、前記ジャンル情報データベース１２５にて特定する、対応コンテンツ特定部１１１を備える。
【００２０】
また、前記システム１００は、前記特定したコンテンツの情報に基づき、前記所望ジャンルに該当するコンテンツで所定数以上の配信設定実績があるものをデフォルト番組候補として所定数特定し、ここで特定したデフォルト番組候補をメモリ１０３に格納する、候補特定部１１２を備える。
【００２１】
また、前記システム１００は、コンテンツ配信サービスの契約時におけるデフォルトのコンテンツ配信予定として、メモリ１０３より読み出した前記デフォルト番組候補を所定時間間隔で配置してデフォルト番組表を生成し、これを前記契約ユーザのためのコンテンツ配信予定として記憶装置１３０に格納する、デフォルト番組表生成部１１３を備える。
【００２２】
なお、前記契約時データ取得部１１０は、前記契約に際し、前記契約ユーザの携帯端末２００とデータ通信した時刻のデータを、自身の備える時計機能１０８から、または前記データ通信時のパケットが含む時刻データから取得し、登録時刻データとしてメモリ１０３に格納するものであってもよい。この場合、前記デフォルト番組表生成部１１３は、前記デフォルト番組候補を所定時間間隔で配置してデフォルト番組表を生成するに際し、前記デフォルト番組候補のうち少なくとも１番組については、前記メモリ１０３より読み出した登録時刻データの示す日時属性に配信する配信設定を行って、前記デフォルト番組表を生成することとなる。
【００２３】
また、前記対応コンテンツ特定部１１１は、前記メモリ１０３より前記契約ユーザの登録時刻データを読み出し、この登録時刻データが示す日時属性に配信予定のコンテンツの情報を、前記ジャンル情報データベース１２５にて特定するものとしてもよい。この場合、前記候補特定部１１２は、前記特定したコンテンツの情報に基づき、前記登録時刻データが示す日時属性に配信予定のコンテンツで所定数以上の配信設定実績があるものをデフォルト番組候補として所定数特定し、ここで特定したデフォルト番組候補をメモリ１０３に格納するものとなる。
【００２４】
また、前記候補特定部１１２は、前記デフォルト番組候補を特定するに際し、前記所望ジャンルに該当し、なおかつ、前記登録時刻データが示す日時属性に配信予定のコンテンツのうち、所定数以上の配信設定実績があるものをデフォルト番組候補として所定数特定し、ここで特定したデフォルト番組候補をメモリ１０３に格納するものとしてもよい。
【００２５】
また、前記契約時データ取得部１１０は、前記契約に際し、前記契約ユーザからのユーザ属性入力を受付ける画面データを記憶装置１３０より読み出して、前記契約ユーザの携帯端末２００に送信し、この携帯端末２００から返信されるユーザ属性データを取得しメモリ１０３に格納するものとしてもよい。この場合、前記対応コンテンツ特定部１１１は、前記メモリ１０３より前記契約ユーザのユーザ属性データを読み出し、このユーザ属性に対応付けされたコンテンツの情報を、前記ジャンル情報データベース１２５にて特定するものとなる。更に、前記候補特定部１１２は、前記特定したコンテンツの情報に基づき、前記ユーザ属性に該当するコンテンツで所定数以上の配信設定実績があるものをデフォルト番組候補として所定数特定し、ここで特定したデフォルト番組候補をメモリ１０３に格納するものとなる。
【００２６】
また、前記候補特定部１１２は、前記デフォルト番組候補を特定するに際し、前記所望ジャンルと前記ユーザ属性とに該当し、なおかつ、前記登録時刻データが示す日時属性に配信予定のコンテンツのうち、所定数以上の配信設定実績があるものをデフォルト番組候補として所定数特定し、ここで特定したデフォルト番組候補をメモリ１０３に格納するものとしてもよい。
【００２７】
また、上記システム１００からコンテンツ配信を受ける前記携帯端末２００は、書き換え可能メモリなどのプログラムデータベース２０１に格納されたプログラム２０２をメモリ２０３に読み出し、演算装置たるＣＰＵ２０４により実行する。また、前記携帯端末２００は、コンピュータ装置が一般に備えている各種キーボードやボタン類といった入力インターフェイス２０５や、ディスプレイやスピーカなどの出力インターフェイス２０６、ならびにシステム１００との間のデータ授受を担う通信手段２０７などを有している。携帯端末２００は、前記通信手段２０７により、前記システム１００と例えばインターネットやＬＡＮ、携帯電話網などのネットワーク１４０を介して接続しデータ授受を実行する。
【００２８】
なお、これまで示したシステム１００における各機能部１１０〜１１３は、ハードウェアとして実現してもよいし、メモリやＨＤＤ（Hard Disk Drive）などの適宜な記憶装置に格納したプログラムとして実現するとしてもよい。この場合、前記ＣＰＵ１０４がプログラム実行に合わせて記憶装置より該当プログラムをメモリ１０３に読み出して、これを実行することとなる。
【００２９】
また、前記ネットワーク１４０に関しては、インターネットの他、ＬＡＮ、ＡＴＭ回線や専用回線、ＷＡＮ（Wide Area Network）、携帯電話網、電灯線ネットワーク、無線ネットワーク、公衆回線網、シリアル・インターフェイス通信線など、携帯端末１００とサーバ２００との間でデータ通信可能なネットワークであれば様々なネットワークを採用することが出来る。また、ＶＰＮ（Virtual Private Network）など仮想専用ネットワーク技術を用いれば、インターネットを採用した際にセキュリティ性を高めた通信が確立され好適である。なお、前記シリアル・インターフェイスは、単一の信号線を用いて１ビットずつ順次データを送るシリアル伝送で、外部機器と接続するためのインターフェイスを指し、通信方式としてはRS-232C、RS-422、IrDA、USB、IEEE1394、ファイバ・チャネルなどが想定できる。
【００３０】
−−−テーブル構造例−−−
次に、本実施形態におけるシステム１００が利用するデータベースの構造について説明する。図２は本実施形態における、（ａ）ジャンル情報データベース（番組表ＤＢ）１２５、（ｂ）デフォルトデータベース１２６、（ｃ）配信コンテンツデータベース１２７の各データ構造例を示す図である。なお、これらのデータベースは、システム１００がアクセス可能なハードディスクドライブ１３０などの記憶装置に構成されているものとする。勿論、こうしたハードディスクドライブ１３０が、システム１００の内蔵装置なのか、それともネットワーク１４０上にあるものかは問わない。
【００３１】
前記ジャンル情報データベース１２５は、前記コンテンツ配信サービスを既に契約済みである既存契約ユーザについて配信設定されているコンテンツの情報を、コンテンツジャンル毎に格納するデータベースである。このジャンル情報データベース１２５は、前記携帯端末２００毎に定めた番組配信スケジュールの情報を格納するデータベースであるとも言えるから、発明者らが既に開発している「番組表データベース」ととらえることもできる。この番組表データベースは、例えばユーザＩＤをキーとして、配信時刻と各配信時刻に配信する番組の番組コードといったデータを関連づけたレコードの集合体となっているから、これに更に、各コンテンツ毎のジャンル情報やユーザ属性を付加したものが、ジャンル情報データベースとなる。よって以後の説明においては、前記ジャンル情報データベースを、番組表データベース１２５とする。
【００３２】
前記デフォルトデータベース１２６は、前記デフォルト番組表生成部１１３が作成したデフォルト番組表を格納しておくデータベースである。したがって、このデフォルトデータベース１２６は、例えばコンテンツジャンルをキーに、当該コンテンツジャンル毎のデフォルト番組表のデータと、その最終更新日時等のデータを対応付けて格納したデータ構造をなす。なお、前記既存契約ユーザにおける番組表設定の動向に応じて前記ジャンル情報データベースたる番組表データベース１２５はリアルタイムに変化するから、これを利用する前記デフォルト番組表生成部１１３が作成するデフォルト番組表のデータも前記番組表データベース１２５の変化に応じて変わっていく。従って、前記デフォルト番組表生成部１１３がデフォルト番組表を作成するたびに、このデフォルトデータベース１２６における該当ジャンルのデフォルト番組表も更新されることとなる。
【００３３】
前記配信コンテンツデータベース１２７は、各携帯端末２００へ配信される配信コンテンツ自体を格納するデータベースである。この配信コンテンツデータベース１２７は、例えばコンテンツＩＤをキーとして、配信開始日時、配信終了日時といったデータを関連づけたレコードの集合体となっている。システム１００は、前記デフォルトデータベース１２５のデフォルト番組表ないし番組表データベース１２５の番組表に基づいて、この配信コンテンツデータベース１２６より該当コンテンツを読み出して、そのデータを携帯端末２００に送信することとなる。
【００３４】
−−−処理フロー例１−−−
以下、本実施形態における番組表自動生成方法の実際手順について、図に基づき説明する。なお、以下で説明する番組表自動生成方法に対応する各種動作のうち前記システム１００に関するものは、前記システム１００がメモリ１０３に読み出して実行するプログラム１０２によって実現される。そして、こうしたプログラム１０２は、以下に説明される各種の動作を行うためのコードから構成されている。
【００３５】
図３は、本実施形態の番組表自動生成方法の処理手順例１を示す図である。ここで、例えば、前記システム１００に対して携帯端末２００からのアクセスがあり、そのやりとりの中で、コンテンツ配信サービスへの加入希望を前記システム１００が前記携帯端末２００から受け付けたとする。ここまでの処理は、一般的によく行われている、ネットワーク１４０上でのサービス内容情報とサービス加入の勧誘情報の提供と、この情報提供に応じユーザ端末側から送られてくるサービス加入契約希望の受付といった処理を、システム１００が実行しているものとする。このサービス加入契約希望を携帯端末２００を通じてシステム１００に送信している者を、「契約ユーザ」と称する。
【００３６】
こうした状況下で前記システム１００の契約時データ取得部１１０は、前記加入契約に際し、前記契約ユーザからの所望ジャンルの指示を受付ける画面データを記憶装置１３０より読み出して、前記契約ユーザの携帯端末２００に送信する（ｓ１００）。前記所望ジャンルとは、前記契約ユーザが配信を希望するコンテンツのジャンルを意味するものである。前記画面データが携帯端末２００のディスプレイ装置にて表示された例を、図４の画面４００として示す。この画面４００は、例えばジャンルＡ〜Ｅまでに対応するラジオボタン４０１が配置され、前記契約ユーザからの所望ジャンルの指示を受付可能な入力インターフェイスの役割を担っている。
【００３７】
また、前記契約時データ取得部１１０は、前記画面４００での入力処理を受けた携帯端末２００から、所望ジャンルの指示データを受信して取得し、これをメモリ１０３に格納する（ｓ１０１）。
【００３８】
次に、前記システム１００の対応コンテンツ特定部１１１は、前記メモリ１０３より前記契約ユーザの所望ジャンルの指示データを読み出し、この指示データが示す所望ジャンルに対応付けされたコンテンツの情報を、前記ジャンル情報データベースたる番組表データベース１２５にて特定する（ｓ１０２）。例えば、前記契約ユーザが指示したジャンルが、「ジャンルＡ＝スポーツ」だったとするならば、前記対応コンテンツ特定部１１１は、この「スポーツ」を検索キーとして、該当するコンテンツを前記番組表データベース１２５で検索・特定する。
【００３９】
続いて、前記システム１００の候補特定部１１２は、前記特定した、例えば「スポーツ」ジャンルのコンテンツの情報に基づき、前記所望ジャンルに該当するコンテンツで所定数以上の配信設定実績があるものをデフォルト番組候補として所定数特定する（ｓ１０３）。ここで前記候補特定部１１２は、例えば、前記特定した「スポーツ」ジャンルのコンテンツ（番組）を番組表に設定しているユーザ（既存契約ユーザ）を前記番組表データベース１２５にて検索し、このユーザ数をコンテンツ（番組）毎にカウントすることで、「スポーツ」ジャンルにおけるコンテンツ（番組）の人気順位を認識する。そして、この人気順位において例えば上位３位以内のコンテンツを、「所定数以上の配信設定実績があるもの」として３つ（所定数）選定する。なお、前記候補特定部１１２は、ここで特定したデフォルト番組候補をメモリ１０３に格納する。
【００４０】
次に、前記システム１００のデフォルト番組表生成部１１３は、前記契約ユーザのサービス契約時におけるデフォルトのコンテンツ配信予定として、メモリ１０３より読み出した前記デフォルト番組候補を所定時間間隔で配置してデフォルト番組表を生成する（ｓ１０４）。ここで前記デフォルト番組表生成部１１３は、例えば、前記「スポーツ」ジャンルにおいて人気の３番組（デフォルト番組候補）を、予め決められた配信時刻（例：１２時、１３時、１５時・・・）に分散配置（１番組ずつ、或いは１番組と２番組）するか、或いは最初の配信時刻に３番組まとめて配置するかして、デフォルト番組表生成を行う。前記デフォルト番組候補の３番組だけでは、予め決められた配信時刻全てに規定量の配信を行えない場合は、前記所望ジャンルに拘らず、既存契約ユーザに人気のコンテンツ（番組）を上記ステップｓ１０３同様の処理を行って必要数だけ特定し、前記デフォルト番組候補を設定した残りの時間枠に設定するとすればよい。なお、前記デフォルト番組表生成部１１３は、作成した前記デフォルト番組表を前記契約ユーザのためのデフォルトのコンテンツ配信予定として前記デフォルトデータベース１２６（記憶装置１３０内）に格納する（ｓ１０５）。
【００４１】
以後、システム１００は前記デフォルトデータベース１２６に格納されている前記デフォルト番組表を読み取って、このデフォルト番組表に記載されている配信時刻に、該当コンテンツを前記配信コンテンツデータベース１２７より読み出して、これを該当携帯端末２００に配信することとなる。もし前記契約ユーザの携帯端末２００から、前記デフォルト番組表ではなく、新たに内容を再設定した番組表の使用を指示されたならば、システム１００はこの新たな番組表を前記契約ユーザ用として前記番組表データベース１２５に格納する。
【００４２】
−−−処理フロー例２−−−
本実施形態の番組表自動生成方法におけるシステム１００の主要な処理手順は、上記処理フロー例１に示したが、上記処理フロー例１の他に、或いは処理フロー例１に付加して実行する処理手順がいくつか想定できる。以下、その例について順次説明する。
【００４３】
図５は、本実施形態の新着コンテンツ管理方法の処理手順例２を示す図である。ここでは、前記システム１００における契約ユーザの契約処理に際して、その日時属性を認識して番組表自動生成に利用する例を説明する。この場合、前記契約時データ取得部１１０は、前記加入契約に際し、前記契約ユーザの携帯端末２００とデータ通信した時刻のデータを、自身の備える時計機能１０８から、または前記データ通信時のパケットが含む時刻データから取得する（ｓ２００）。
【００４４】
具体的には、前記携帯端末２００から前記画面４００でのジャンル指示を受け付けた時点で、前記時計機能１０８から現在時刻情報を取得する。或いは、前記ジャンル指示を携帯端末２００から受け付けた際に、このジャンル指示に対応するデータパケット（ネットワーク１４０における通信プロトコルに則って、携帯端末２００から送信されてきた）のヘッダー情報を参照し、このヘッダー情報に含まれる送信日時のデータを取得する。
【００４５】
こうして取得した時刻データを、前記契約時データ取得部１１０は、登録時刻データとしてメモリ１０３に格納する（ｓ２０１）。この場合、前記デフォルト番組表生成部１１３は、前記デフォルト番組候補を所定時間間隔で配置してデフォルト番組表を生成するに際し、前記デフォルト番組候補のうち少なくとも１番組については、前記メモリ１０３より読み出した登録時刻データの示す日時属性に配信する配信設定を行って（ｓ２０２）、前記デフォルト番組表を生成する（ｓ２０３）。
【００４６】
具体的には、例えば前記「スポーツ」ジャンルのデフォルト番組候補の３つのうち、最も人気順位の高いものについて、前記メモリ１０３より読み出した前記登録時刻が「月曜午前６時」であれば、この「月曜午前７時」から始まる所定幅の時間帯（例：午前６時から午前７時）に配信を開始するとのデフォルト番組表を作成する。このように、前記契約ユーザが所望するジャンルで人気のあるコンテンツ（番組）を選定し、この人気コンテンツについて、契約処理を行った直後付近に迅速に配信する設定とすれば、所望ジャンルを指示するだけでよい手軽さと相まって前記契約ユーザの満足度がより高まると予想される。
【００４７】
或いは、前記デフォルト番組表生成部１１３が、前記登録時刻「月曜午前６時」の属性（日時属性）を、「平日早朝」と認識し、前記デフォルト番組候補をこの「平日早朝」に対応する所定時間帯に配信するとしてデフォルト番組表生成を行うとしてもよい。この場合、システム１００が、平日と休日、早朝、午前中、午後、夕方、夜間、深夜といった、日時の属性と実際の時刻や日付との対応表を予め記憶装置１３０等に備えているとする。したがって、システム１００は、この対応表に前記登録時刻を照合すれば、その日時属性を認識できるし、デフォルト番組表においても、前記日時属性に対応すべく予め定められた時刻に配信コンテンツを設定できる。
【００４８】
−−−処理フロー例３−−−
次に、前記登録時刻データを別の観点でデフォルト番組表生成に利用する例を説明する。図６は、本実施形態の新着コンテンツ管理方法の処理手順例３を示す図である。ここで前記対応コンテンツ特定部１１１は、前記メモリ１０３より前記契約ユーザの登録時刻データを読み出す（ｓ３００）。そして、この登録時刻データが示す日時属性に配信予定のコンテンツの情報を、前記ジャンル情報データベースたる番組表データベース１２５にて特定する（ｓ３０１）。
【００４９】
具体的には、契約ユーザが登録作業を行っている時刻、つまり前記登録時刻を含む所定の時間帯を配信時刻として設定されている既存契約ユーザ向けのコンテンツを、前記番組表データベース１２５において特定することとなる。例えば、前記登録時刻が、「土曜午後１１時」だとすれば、前記対応コンテンツ特定部１１１は、「午後１１時」に配信設定がなされているコンテンツ（番組）を、番組表データベース１２５にて検索・特定する。
【００５０】
そしてこの場合、前記候補特定部１１２は、前記特定したコンテンツの情報に基づき、前記登録時刻データが示す「午後１１時」に配信予定のコンテンツで所定数以上の配信設定実績があるものをデフォルト番組候補として所定数特定する（ｓ３０２）。具体的には、例えば、前記「午後１１時」を検索キーとして、配信時刻が合致するコンテンツを前記番組表データベース１２５で検索・特定する。そして、前記特定した配信時刻が「午後１１時」のコンテンツ（番組）を番組表に設定しているユーザ（既存契約ユーザ）を前記番組表データベース１２５にて検索し、このユーザ数をコンテンツ（番組）毎にカウントすることで、「午後１１時」に配信設定されたコンテンツ（番組）の人気順位を認識する。そして、この人気順位において例えば上位３位以内のコンテンツを、「所定数以上の配信設定実績があるもの」として３つ（所定数）選定する。なお、前記候補特定部１１２は、ここで特定したデフォルト番組候補をメモリ１０３に格納する（ｓ３０３）。
【００５１】
−−−処理フロー例４−−−
上記所望ジャンルおよび登録時刻の両方の情報を利用してデフォルト番組表生成を行うことも想定できる。図７は、本実施形態の新着コンテンツ管理方法の処理手順例４を示す図である。この場合、前記候補特定部１１２は、前記デフォルト番組候補を特定するに際し、前記所望ジャンルに該当し、なおかつ、前記登録時刻データが示す日時属性に配信予定のコンテンツを上記処理フロー例２，３に示す手順にて特定する（ｓ４００）。
【００５２】
そしてここで特定したコンテンツのうち、（上記処理フロー例２，３と同様に）人気順位上位のものを、「所定数以上の配信設定実績があるもの」と認識し、デフォルト番組候補として所定数特定するのである（ｓ４０１）。ステップｓ４００、ｓ４０１における、所望ジャンルにおける所定数の人気コンテンツの特定や、登録時刻を配信時刻とした所定数の人気コンテンツの特定の各処理の具体例は、上記処理フロー例２，３に示す通りである。そして前記候補特定部１１２は、ここで特定したデフォルト番組候補をメモリ１０３に格納する（ｓ４０２）。
【００５３】
これにより、契約ユーザが所望するジャンルと、登録時刻に配信設定がされているコンテンツとの両方の区分で高い人気があるコンテンツをデフォルト番組表に設定することが可能となる。
【００５４】
−−−処理フロー例５−−−
次に、前記契約ユーザの属性をデフォルト番組表生成に利用する例を説明する。図８は、本実施形態の番組表自動生成方法の処理手順例５を示す図である。ここで、前記契約時データ取得部１１０は、前記契約に際し、前記契約ユーザからのユーザ属性入力を受付ける画面データを記憶装置１３０より読み出して、前記契約ユーザの携帯端末２００に送信する（ｓ５００）。この画面データが携帯端末２００のディスプレイ装置で表示された画面例を、図９に示す。この図における画面９００は、例えば、前記契約ユーザの年齢層、性別、職業といった情報の入力を促す各入力欄９０１を備えるものとなる。
【００５５】
前記契約時データ取得部１１０は、前記画面９００での入力データたる、「３０代、男性、会社員」といったユーザ属性のデータを前記携帯端末２００から受信し、これをメモリ１０３に格納する（ｓ５０１）。
【００５６】
この場合、前記対応コンテンツ特定部１１１は、前記メモリ１０３より前記契約ユーザのユーザ属性データを読み出し、このユーザ属性に対応付けされたコンテンツの情報を、前記ジャンル情報データベースたる番組表データベース１２５にて特定する（ｓ５０２）。具体的には、前記ユーザ属性が「３０代、男性、会社員」であったとすれば、前記番組表データベース１２５においてこれと同じ属性を備える既存契約ユーザを検索・特定し、ここで特定できた既存契約ユーザが番組表において配信設定しているコンテンツの情報を特定するのである。
【００５７】
続いて、前記候補特定部１１２は、前記特定したコンテンツの情報に基づき、前記ユーザ属性に該当するコンテンツで所定数以上の配信設定実績があるものをデフォルト番組候補として所定数特定し、ここで特定したデフォルト番組候補をメモリ１０３に格納する（ｓ５０３）。これにより、契約ユーザと同じユーザ属性を備える既存契約ユーザ、つまり似た属性を備え、嗜好等も共通点があると推測されるユーザが配信設定しているコンテンツのうち、人気の高いものを選定し、これをデフォルト番組表に設定することができる。したがって、契約ユーザが直接的に指定するジャンルのみならず、特に指定を受けておらずとも潜在的に前記契約ユーザが望んでいる、いわゆる「好み」のコンテンツをデフォルト番組表に設定することができ、ユーザ満足度を高めることができる。
【００５８】
−−−処理フロー例６−−−
上記所望ジャンル、登録時刻、およびユーザ属性の全ての情報を利用してデフォルト番組表生成を行うことも想定できる。図１０は、本実施形態の番組表自動生成方法の処理手順例６を示す図である。この場合、前記候補特定部１１２は、前記デフォルト番組候補を特定するに際し、前記所望ジャンルと前記ユーザ属性とに該当し、なおかつ、前記登録時刻データが示す日時属性に配信予定のコンテンツを、上記処理フロー例２，３，５に示す手順にて特定する（ｓ６００）。
【００５９】
そして、ここで特定したコンテンツのうち、（上記処理フロー例２，３，５と同様に）人気順位上位のものを、「所定数以上の配信設定実績があるもの」と認識し、デフォルト番組候補として所定数特定するのである（ｓ６０１）。ステップｓ６００、ｓ６０１における、所望ジャンルにおける所定数の人気コンテンツの特定や、登録時刻を配信時刻とした所定数の人気コンテンツの特定や、契約ユーザのユーザ属性にマッチする既存契約ユーザが設定しているコンテンツのうち所定数の人気コンテンツの特定の各処理の具体例は、上記処理フロー例２，３、５に示す通りである。そして前記候補特定部１１２は、ここで特定したデフォルト番組候補をメモリ１０３に格納する（ｓ６０２）。
【００６０】
これにより、契約ユーザが所望するジャンルと、登録時刻に配信設定がされているコンテンツと、更には契約ユーザと似通った既存契約ユーザが配信設定したコンテンツとの全ての区分に跨って高い人気があるコンテンツをデフォルト番組表に設定することが可能となり、ユーザ満足度の更なる向上が望める。
【００６１】
−−−その他の処理例−−−
なお、前記候補特定部１１２においてデフォルト番組候補としてコンテンツを特定するに際し、既存契約ユーザに人気のあるコンテンツを特定する一方で、登録から間もない新着コンテンツが前記配信コンテンツデータベース１２７に存在する場合、この新着コンテンツをデフォルト番組候補として無条件に選定するとしてもよい。この場合、前記システム１００は、前記配信コンテンツデータベース１２７における新着コンテンツの登録状況を適宜間隔でモニタリングし、新着コンテンツの登録発生を自身で見知できるものとする。
【００６２】
また、前記デフォルト番組表生成部１１３が前記デフォルト番組候補を所定配信時刻に設定してデフォルト番組表を生成するに際し、どの配信時刻＝配信枠にどのコンテンツ（番組）を設定するかを決定するよりどころとして、システム１００が備える乱数発生プログラムにて発生させた乱数を採用するとしてもよい。例えば、前記デフォルト番組候補のうち最も人気順位上位のものを前記乱数の所定桁Ａ（例えば１桁目）に対応付け、前記デフォルト番組候補のうち人気順位２位のものを前記乱数の所定桁Ｂ（例えば２桁目）に対応付け、前記デフォルト番組候補のうち人気順位３位のものを前記乱数の所定桁Ｃ（例えば３桁目）に対応付ける。そして最も数値の大きな桁に対応付けられたデフォルト番組候補を、最も早い時間帯の配信枠に設定し、次に数値の大きな桁に対応付けられたデフォルト番組候補を、２番目に早い時間帯の配信枠に設定し、３番目に数値の大きな桁に対応付けられたデフォルト番組候補を、３番目に早い時間帯の配信枠に設定する、といった処理が想定できる。勿論、乱数を用いてデフォルト番組候補の配信枠を決定する手法としては他の様々な考え方を採用して良い。
【００６３】
以上説明したように本実施形態によれば、契約初期のユーザに関するデフォルトのコンテンツ配信予定を、ユーザの意志や属性など所定の状況に応じて自動作成可能となる。
【００６４】
以上、本発明の実施の形態について、その実施の形態に基づき具体的に説明したが、これに限定されるものではなく、その要旨を逸脱しない範囲で種々変更可能である。
【図面の簡単な説明】
【００６５】
【図１】本実施形態における番組表自動生成システムを含むネットワーク構成図である。
【図２】本実施形態における、（ａ）ジャンル情報データベース、（ｂ）デフォルトデータベース、（ｃ）配信コンテンツデータベースの各データ構造例を示す図である。
【図３】本実施形態の番組表自動生成方法の処理手順例１を示す図である。
【図４】本実施形態におけるジャンル指示受付画面例を示す図である。
【図５】本実施形態の番組表自動生成方法の処理手順例２を示す図である。
【図６】本実施形態の番組表自動生成方法の処理手順例３を示す図である。
【図７】本実施形態の番組表自動生成方法の処理手順例４を示す図である。
【図８】本実施形態の番組表自動生成方法の処理手順例５を示す図である。
【図９】本実施形態におけるユーザ属性受付画面例を示す図である。
【図１０】本実施形態の番組表自動生成方法の処理手順例６を示す図である。
【符号の説明】
【００６６】
１００…コンテンツ配信サーバ（番組表自動生成システム）
１０１、２０１…プログラムデータベース
１０２、２０２…プログラム
１０３、２０３…メモリ
１０４、２０４…ＣＰＵ
１０５、２０５…入力インターフェイス
１０６、２０６…出力インターフェイス
１０７、２０７…通信手段
１０８…時計機能
１１０…契約時データ取得部
１１１…対応コンテンツ特定部
１１２…候補特定部
１１３…デフォルト番組表生成部
１２５…ジャンル情報データベース（番組表データベース）
１２６…デフォルトデータベース
１２７…配信コンテンツデータベース
１３０…ハードディスクドライブ（記憶装置）
１４０…ネットワーク
２００…携帯端末
４００…ジャンル指示受付画面
【図２】
2008177781.tif 000003
【図３】
2008177781.tif 000004
【図４】
2008177781.tif 000005
【図５】
2008177781.tif 000006
【図６】
2008177781.tif 000007
【図７】
2008177781.tif 000008
【図８】
2008177781.tif 000009
【図９】
2008177781.tif 000010
【図１０】
2008177781.tif 000011
【図１】
2008177781.tif 000012